(57)【要約】【課題】筬前成形品同士を、長期間にわたって強固に連結することができ、それにより、鍵盤における鍵同士の隙間のばらつきを防止することができる鍵盤楽器の筬前を提供する。【解決手段】合成樹脂から成りかつ左右方向に延びる複数の筬前成形品２１、２１の端部同士を互いに連結することにより、左右方向に延びるように構成され、複数の鍵の前端部にそれぞれ係合する複数のフロントピン１４を、左右方向に並んだ状態立設する鍵盤楽器の筬前１１であって、複数の筬前成形品２１のうちの隣り合う一方の筬前成形品２１の端部には、所定の平面形状を有する連結係合凸部２６が設けられ、他方の筬前成形品２１の端部には、連結係合凸部２６の平面形状に対して嵌め合い可能な凹状に形成され、連結係合凸部２６に対して相対的に左右方向に移動不能な状態で係合する連結係合凹部２７が設けられている。【選択図】図２
2020034718.tif 000002
【特許請求の範囲】
【請求項１】
合成樹脂から成りかつ左右方向に延びる複数の筬前成形品の端部同士を互いに連結することにより、左右方向に延びるように構成され、複数の鍵の前端部にそれぞれ係合する複数のフロントピンを、左右方向に並んだ状態に立設する鍵盤楽器の筬前であって、
前記複数の筬前成形品のうちの隣り合う一方の筬前成形品の端部には、隣り合う他方の筬前成形品側に突出し、所定の平面形状を有する連結係合凸部が設けられ、
前記他方の筬前成形品の端部には、前記連結係合凸部の平面形状に対して嵌め合い可能な凹状に形成され、当該連結係合凸部に対して相対的に左右方向に移動不能な状態で係合する連結係合凹部が設けられていることを特徴とする鍵盤楽器の筬前。
【請求項２】
前記連結係合凸部は、
前後方向に所定幅を有するとともに、左右方向に所定長さ延びる第１凸部と、
この第１凸部の先端部に設けられ、前方及び後方の少なくとも一方に所定長さ突出する第２凸部と、
を有していることを特徴とする請求項１に記載の鍵盤楽器の筬前。
【請求項３】
前記連結係合凸部と前記連結係合凹部を、上下方向に密着した状態に固定する固定手段を備えていることを特徴とする請求項１又は２に記載の鍵盤楽器の筬前。
【請求項４】
前記固定手段は、前記連結係合凸部と前記連結係合凹部を、上下方向に接着する接着剤を有していることを特徴とする請求項３に記載の鍵盤楽器の筬前。
【請求項５】
前記連結係合凸部及び前記連結係合凹部の一方には、上下方向に貫通する１以上の接着剤注入孔が形成されるとともに、前記連結係合凸部及び前記連結係合凹部の他方に接する平面において前記接着剤注入孔に連なりかつ当該接着剤注入孔を中心とする放射状に配置された複数の溝が形成されていることを特徴とする請求項４に記載の鍵盤楽器の筬前。
【請求項６】
前記固定手段は、前記連結係合凸部と前記連結係合凹部を、上下方向に圧着するようにねじ止めする固定ねじを、さらに有していることを特徴とする請求項４又は５に記載の鍵盤楽器の筬前。
【請求項７】
前記連結係合凸部は、上下方向に突出する凸状に形成され、内側に前記固定ねじが螺合するねじ孔が形成されたねじ凸部を有し、
前記連結係合凹部は、上下方向に貫通し、前記ねじ凸部が挿入される挿入孔を有していることを特徴とする請求項６に記載の鍵盤楽器の筬前。
【発明の詳細な説明】
【技術分野】
【０００１】
本発明は、電子ピアノなどの鍵盤楽器に適用され、鍵の前端部に係合するフロントピンを立設した状態に保持する鍵盤楽器の筬前に関する。
【背景技術】
【０００２】
従来、この種の鍵盤楽器の筬前として、例えば本出願人が既に出願した特許文献１に開示されたものが知られている。この筬前は、合成樹脂製の複数の筬前成形品が連結されることによって、左右方向に延びるように構成されている。各筬前成形品は、複数のフロントピンが左右方向に所定間隔を隔てて立設される横長の本体部と、この本体部の左右の端部からそれぞれ突出し、隣り合う筬前成形品同士を連結するための左連結部及び右連結部とで構成されている。これらの左右の連結部は、互いにほぼ同じ平面形状を有しており、左連結部の上半部が切り欠かれる一方、右連結部の下半部が切り欠かれている。また、左右の連結部の前端部及び後端部には、上下方向に貫通する２つのねじ止め用の孔が形成され、上半部が切り欠かれている左連結部の上面には、互いに平行に左右方向に延びる複数の溝が形成されている。
【０００３】
隣り合う２つの筬前成形品を連結する場合にはまず、一方の筬前成形品の右連結部と、他方の筬前成形品の左連結部とを上下に重ね合わせるとともに、それらの前端部及び後端部をねじ止めする。次いで、ねじ止めされた両筬前成形品において、左側の筬前成形品における本体部の右端面と、右側の筬前成形品における左連結部の左端面との間に生じた隙間から接着剤を注入する。この注入された接着剤は、右側の筬前成形品における左連結部の各溝に流入する。以上により、両筬前成形品は、それぞれの左右の連結部が合いじゃくりで継ぎ合わされた状態で連結される。
【０００４】
また、複数の筬前成形品を上記のように連結することによって構成された筬前は、金属製の鍵盤シャーシの左右方向に延びる前レールに沿って配置され、その前レールに複数箇所でねじ止めされることによって固定されている。
【先行技術文献】
【特許文献】
【０００５】
【特許文献１】特許第５７９７０７４号公報
【発明の概要】
【発明が解決しようとする課題】
【０００６】
上記のように構成された筬前を有する電子ピアノでは、その設置環境の温度変化などによって、筬前が熱膨張したり、熱収縮したりすることがあり、それにより、筬前が長さ方向に伸縮する。一般に、筬前成形品を構成する合成樹脂の線膨張係数は、前レールを構成する金属のそれよりも大きいことから、筬前は、前レールよりも大きく伸縮する。この場合、互いに連結された両筬前成形品には、それらの端部の連結部において、長さ方向に引張り力や圧縮力が作用し、それらが繰り返し作用すると、互いに連結されていた両筬前成形品の連結部同士の接着がはがれることがある。
【０００７】
このように、両筬前成形品の連結部同士の接着がはがれると、各筬前成形品の長さ方向の伸縮がより一層大きくなり、特に、各筬前成形品が収縮したときには、両筬前成形品にそれぞれ立設され、互いに隣り合うフロントピンの間隔が、他のフロントピン間に比べて大きくなる。これに伴い、それらのフロントピンに係合する鍵の隙間が広がることで、電子ピアノの鍵盤における鍵同士の隙間にばらつきが生じてしまう。
【０００８】
また、両筬前成形品の連結部同士を接着する場合、前述したように、左側の筬前成形品の本体部と、右側の筬前成形品の左連結部との隙間に接着剤を注入することで、上記の左連結部の各溝に接着剤を流入させている。しかし、各溝への接着剤は入れにくく、接着剤の流入が不十分であるときには、両筬前成形品の連結部同士の接着を長期間にわたって十分に得られないこともある。したがって、上述した従来の筬前には改善の余地がある。
【０００９】
本発明は、以上のような課題を解決するためになされたものであり、筬前成形品同士を、長期間にわたって強固に連結することができ、それにより、鍵盤における鍵同士の隙間のばらつきを防止することができる鍵盤楽器の筬前を提供することを目的とする。
【課題を解決するための手段】
【００１０】
上記の目的を達成するために、請求項１に係る発明は、合成樹脂から成りかつ左右方向に延びる複数の筬前成形品の端部同士を互いに連結することにより、左右方向に延びるように構成され、複数の鍵の前端部にそれぞれ係合する複数のフロントピンを、左右方向に並んだ状態に立設する鍵盤楽器の筬前であって、複数の筬前成形品のうちの隣り合う一方の筬前成形品の端部には、隣り合う他方の筬前成形品側に突出し、所定の平面形状を有する連結係合凸部が設けられ、他方の筬前成形品の端部には、連結係合凸部の平面形状に対して嵌め合い可能な凹状に形成され、連結係合凸部に対して相対的に左右方向に移動不能な状態で係合する連結係合凹部が設けられていることを特徴とする。
【００１１】
この構成によれば、合成樹脂から成りかつ左右方向に延びる複数の筬前成形品の端部同士を互いに連結することにより、複数のフロントピンを左右方向に並んだ状態に立設する筬前が、左右方向に延びるように構成される。また、複数の筬前成形品のうちの隣り合う一方の筬前成形品の端部には、所定の平面形状を有する連結係合凸部が設けられ、他方の筬前成形品の端部には、上記連結係合凸部に係合する連結係合凹部が設けられている。この連結係合凹部は、連結係合凸部の平面形状に対して嵌め合い可能な凹状に形成されるとともに、連結係合凸部に対して相対的に左右方向に移動不能な状態で係合する。このように、連結係合凸部と連結係合凹部とを、嵌め合わせることで移動不能な状態に係合することにより、隣り合う筬前成形品同士を、それら自身の機械的結合によって連結できるので、例えば、熱膨張や熱収縮によって、それらの筬前成形品が伸縮する場合でも、両筬前成形品の端部同士の強固な連結を維持することができる。以上のように、本発明によれば、筬前成形品同士を、長期間にわたって強固に連結することができ、それにより、鍵盤における鍵同士の隙間のばらつきを防止することができる。
【００１２】
請求項２に係る発明は、請求項１に記載の鍵盤楽器の筬前において、連結係合凸部は、前後方向に所定幅を有するとともに、左右方向に所定長さ延びる第１凸部と、この第１凸部の先端部に設けられ、前方及び後方の少なくとも一方に所定長さ突出する第２凸部と、を有していることを特徴とする。
【００１３】
この構成によれば、上記の第１凸部及び第２凸部を有する連結係合凸部は、平面形状がＬ字状又はＴ字状に形成され、連結係合凹部に嵌め合った状態で係合することにより、隣り合う筬前成形品同士を、相対的に左右方向に移動不能な状態で、比較的容易にかつ安定して連結することができる。
【００１４】
請求項３に係る発明は、請求項１又は２に記載の鍵盤楽器の筬前において、連結係合凸部と連結係合凹部を、上下方向に密着した状態に固定する固定手段を備えていることを特徴とする。
【００１５】
この構成によれば、上記の連結係合凸部及び連結係合凹部の係合に加えて、固定手段により、連結結合凸部と連結係合凹部を上下方向に密着した状態に固定するので、隣り合う筬前成形品同士を、より一層強固に連結することができる。
【００１６】
請求項４に係る発明は、請求項３に記載の鍵盤楽器の筬前において、固定手段は、連結係合凸部と連結係合凹部を、上下方向に接着する接着剤を有していることを特徴とする。
【００１７】
この構成によれば、固定手段として、接着剤を利用することにより、連結係合凸部と連結係合凹部を上下方向に接着した状態で固定することができる。
【００１８】
請求項５に係る発明は、請求項４に記載の鍵盤楽器の筬前において、連結係合凸部及び連結係合凹部の一方には、上下方向に貫通する１以上の接着剤注入孔が形成されるとともに、連結係合凸部及び連結係合凹部の他方に接する平面において接着剤注入孔に連なりかつ接着剤注入孔を中心とする放射状に配置された複数の溝が形成されていることを特徴とする。
【００１９】
この構成によれば、連結係合凸部及び連結係合凹部の一方には、上下方向に貫通する１以上の接着剤注入孔が形成されるとともに、接着剤注入孔に連なる複数の溝が放射状に形成されている。連結係合凸部と連結係合凹部を接着剤によって接着する場合、両者を嵌め合わせるとともに重ね合わせ、外部から接着剤注入孔に接着剤を注入することにより、その接着剤が放射状の複数の溝に流れる。これにより、重ね合わされた連結係合凸部と連結係合凹部の間に、比較的広範囲でかつ全体的にバランス良く、接着剤を安定して供給することができ、連結係合凸部と連結係合凹部を強固に接着することができる。
【００２０】
請求項６に係る発明は、請求項４又は５に記載の鍵盤楽器の筬前において、固定手段は、連結係合凸部と連結係合凹部を、上下方向に圧着するようにねじ止めする固定ねじを、さらに有していることを特徴とする。
【００２１】
この構成によれば、接着剤によって互いに接着された連結係合凸部と連結係合凹部を、固定ねじによって上下方向に圧着するようにねじ止めするので、連結係合凸部と連結係合凹部を、より一層強固に接着できるとともに、その状態を長期間にわたって安定して保持することができる。
【００２２】
請求項７に係る発明は、請求項６に記載の鍵盤楽器の筬前において、連結係合凸部は、上下方向に突出する凸状に形成され、内側に固定ねじが螺合するねじ孔が形成されたねじ凸部を有し、連結係合凹部は、上下方向に貫通し、ねじ凸部が挿入される挿入孔を有していることを特徴とする。
【００２３】
この構成によれば、連結係合凸部にねじ凸部が設けられる一方、連結係合凹部に挿入孔が設けられているので、上記のねじ凸部を挿入孔に挿入させながら、連結係合凸部を連結係合凹部に嵌め合わせることにより、筬前成形品同士の連結の際の組立て作業を、比較的容易に行うことができる。また、連結係合凸部と連結係合凹部の嵌め合わせに加えて、ねじ凸部が挿入孔に挿入されることにより、両筬前成形品同士を、相対的に左右方向に移動不能な状態で、より一層強固に連結することができる。
【図面の簡単な説明】
【００２４】
【図１】本発明の一実施形態による鍵盤装置の筬前を適用した電子ピアノの鍵盤装置の一部を示しており、（ａ）は斜視図、（ｂ）は側面図である。
【図２】フロントピンが立設された前レール及び筬前の一部を示す斜視図であり、（ａ）は前レールに筬前が取り付けられた状態、（ｂ）は前レールを省略した状態を示す。
【図３】互いに連結される２つの筬前成形品を示す斜視図であり、（ａ）は連結の前後の両筬前成形品を斜め上から見たときの状態、（ｂ）は連結の前後の両筬前成形品を斜め下から見たときの状態を示している。
【図４】互いに連結される２つの筬前成形品を示す平面図であり、（ａ）は両筬前成形品を連結した状態、（ｂ）は両筬前成形品の連結前の状態を示す。
【発明を実施するための形態】
【００２５】
以下、図面を参照しながら、本発明の好ましい実施形態を詳細に説明する。図１（ａ）及び（ｂ）は、本発明の一実施形態による鍵盤楽器の筬前を適用した電子ピアノの鍵盤装置の一部を、離鍵状態において示している。両図に示すように、この鍵盤装置１は、電子ピアノの左右方向に並んだ多数の鍵２（図１（ａ）では２つの白鍵２ａ、１つの黒鍵２ｂを図示）と、これらの鍵２を支持する鍵盤シャーシ３と、この鍵盤シャーシ３の後端部に連結されたハンマーサポート４と、鍵２ごとに設けられ、押鍵された鍵２に連動して回動する多数のハンマー５（図１（ａ）では、白鍵用ハンマー５ａ及び黒鍵用ハンマー５ｂを１つずつ図示）と、ハンマー５ごとに設けられ、鍵２の押鍵時にレットオフ感を付与するための多数のレットオフ部品６（図１（ｂ）において１つのみ図示）と、鍵２の押鍵情報を検出するための鍵スイッチ７などで構成されている。
【００２６】
鍵盤シャーシ３は、いずれも左右方向に延びかつ互いに前後方向に所定距離を隔てて配置された前レール９ａ、中レール９ｂ及び後レール９ｃから成る３本の支持レール９と、前後方向に延びる複数の補強用のリブ１０とを、井桁状に組み立てたものであり、図示しない棚板上に固定されている。これらの支持レール９及びリブ１０はいずれも、プレスによる打抜き及び折曲げ加工によって所定の形状に形成された金属板で構成されている。
【００２７】
前レール９ａの下面及び中レール９ｂの上面にはそれぞれ、筬前１１及び筬中１２が固定されている。筬前１１及び筬中１２は、合成樹脂から成る肉厚の板状のものであり、前レール９ａ及び中レール９ｂの全体にわたって左右方向に延びている。筬中１２には、白鍵２ａ及び黒鍵２ｂに対応する前後の位置に、多数のバランスピン１３（図１（ａ）では、２つの白鍵用バランスピン１３ａ、１つの黒鍵用バランスピン１３ｂを図示）が、左右方向に並んだ状態で立設されている。また、筬前１１には、多数のフロントピン１４が、左右方向に並んだ状態で立設されている。
【００２８】
図２は、フロントピン１４が立設された前レール９ａ及び筬前１１の一部を示しており、（ａ）は前レール９ａに筬前１１が取り付けられた状態、（ｂ）は前レール９ａを省略した状態を示している。同図（ａ）に示すように、前レール９ａの天板１５には、複数のフロントピン１４にそれぞれ対応する位置に、フロントピン１４の外径よりも大きな直径を有する複数のピン用開口１５ａが形成され、それらのピン用開口１５ａを介して、フロントピン１４が上方に突出している。なお、図２に示す２つのねじ１６、１６は、鍵盤シャーシ３のリブ１０（図１（ｂ）参照）の前部を、前レール９ａの天板１５の下面に固定するためのものである。
【００２９】
筬前１１は、左右方向に延びる複数の筬前成形品２１を、互いに左右方向に連結することによって構成されている。図３及び図４は、筬前１１の一部を構成する２つの筬前成形品２１、２１を示している。各筬前成形品２１は、所定の合成樹脂（例えばＡＢＳ樹脂又はポリスチレン）から成り、フロントピン１４を固定するための複数のピン孔２２ａ、２２ｂを有する本体部２２と、この本体部２２の右端部及び左端部からそれぞれ突出するように設けられ、隣り合う筬前成形品２１、２１同士を連結するための右連結部２３及び左連結部２４とで構成されている。
【００３０】
本体部２２の前端部には、白鍵２ａ用のフロントピン１４ａ（図１、２参照）を、その下端部が圧入された状態で立設するための７つのピン孔２２ａが、左右方向に所定間隔ごとに形成されている。一方、本体部２２の後端部には、黒鍵２ｂ用のフロントピン１４ｂ（図１、２参照）を、白鍵２ｂのそれと同様にして立設するための５つのピン孔２２ｂが、左右方向に所定間隔ごとに形成されている。なお、図３及び図４に示す各筬前成形品２１はいずれも、１オクターブに対応するように構成されたものである。
【００３１】
一方、右連結部２３及び左連結部２４はそれぞれ、下半部及び上半部がほぼ切り欠かれた状態に形成されている。また、一方の筬前成形品２１の右連結部２３と、他方の筬前成形品２１の左連結部２４は、互いに上下に嵌め合わされた状態で、相対的に前後方向及び左右方向に移動不能な状態に係合するように構成されている。
【００３２】
具体的には、右連結部２３は、本体部２２の右端部に連なりかつこれと同程度の前後方向の幅を有する基部２５と、この基部２５から右方に突出し、平面形状が横Ｔ字状に形成された連結係合凸部２６とを有している。すなわち、この連結係合凸部２６は、基部２５の前後方向の幅よりも小さい幅を有しかつ基部２５から右方に所定長さ突出する狭幅部２６ａ（第１凸部）と、この狭幅部２６ａに連なって右方に所定長さ突出し、前後方向の幅が狭幅部２６ａのそれよりも大きくかつ基部２５のそれよりも小さい拡幅部２６ｂ（第２凸部）とで構成されている。
【００３３】
また、右連結部２３の基部２５には、前端部及び後端部にそれぞれ、上下方向に貫通しかつ左右方向に若干延びる長孔２５ａ、２５ｂが形成されている。さらに、図３（ｂ）に示すように、連結係合凸部２６の下面の所定位置には、下方に所定長さ突出し、内周面に雌ねじが形成されている円筒状のねじ凸部２６ｃが突設されている。
【００３４】
一方、左連結部２４は、本体部２２の左端部に連なり、平面形状が右連結部２３の上述した基部２５及び連結係合凸部２６とほぼ同一で、それらの厚さ分、一段低い状態に形成された連結係合凹部２７を有している。より具体的には、連結係合凹部２７は、連結係合凸部２６の狭幅部２６ａ及び拡幅部２６ｂにそれぞれ対応し、それらの外形寸法とほぼ同じ内側寸法を有する狭幅部２７ａ及び拡幅部２７ｂを備えている。また、連結係合凹部２７の中央には、上下方向に貫通し、筬前成形品２１、２１同士の連結時に、ねじ凸部２６ｃが挿入される挿入孔２７ｃが形成されている。さらに、連結係合凹部２７の左方の前端部及び後端部にはそれぞれ、上下方向に貫通しかつ左右方向に若干延びる長孔２８ａ、２８ｂが形成されている。
【００３５】
加えて、左連結部２４には、その下面側から上面側に接着剤を注入するための複数（本実施形態では４つ）の接着剤注入孔２９が設けられている。具体的には、連結係合凹部２７の挿入孔２７ｃを中心として、その周囲に、上下方向に貫通する接着剤注入孔２９が形成されている。また、連結係合凹部２７の上面には、各接着剤注入孔２９を中心として、それに連なるとともに径方向に放射状に延びる複数（本実施形態では８つ）の溝２９ａが形成されている。
【００３６】
以上のように構成された筬前成形品２１は、以下のように連結されることによって、左右方向に延びる筬前１１を構成する。まず、連結すべき２つの筬前成形品２１、２１において、一方の筬前成形品２１の連結係合凸部２６及びねじ凸部２６ｃを、他方の筬前成形品２１の連結係合凹部２７及び挿入孔２７ｃにそれぞれ上方から嵌め合わせる。次いで、挿入孔２７ｃに挿入されたねじ凸部２６ｃに、圧着用ねじ３１（固定ねじ）をねじ込む（図３（ｂ）参照）。そして、４つの接着剤注入孔２９にそれぞれ、所定の接着剤を注入する。これにより、各接着剤注入孔２９に注入された接着剤は、その接着剤注入孔２９に連なる放射状の各溝２９ａに流れ、一方の筬前成形品２１の連結係合凸部２６と、他方の筬前成形品２１の連結係合凹部２７が接着される。
【００３７】
以上のようにして、複数の筬前成形品２１が連結されることによって構成された筬前１１は、互いに連結された両筬前成形品２１、２１の左右の連結部２３、２４における前側の長孔２５ａ、２８ａ、及び後ろ側の長孔２５ｂ、２８ｂに取付けねじ３２ａ及び３２ｂを下方からそれぞれ挿通し、前レール９ａの天板１５のねじ孔にねじ込むことによって、前レール９ａに固定される。
【００３８】
以上詳述したように、本実施形態によれば、互いに連結すべき複数の筬前成形品２１のうちの隣り合う一方の筬前成形品２１の右連結部２３には、横Ｔ字状の平面形状を有する連結係合凸部２６が設けられ、他方の筬前成形品２１の左連結部２４には、上記連結係合凸部２６に係合する連結係合凹部２７が設けられている。この連結係合凹部２７は、連結係合凸部２６の平面形状に対して上下に嵌め合い可能な凹状に形成されるとともに、連結係合凸部２６に対して相対的に左右方向及び前後方向に移動不能な状態で係合する。このように、連結係合凸部２６と連結係合凹部２７とを嵌め合わせた状態で係合することにより、隣り合う筬前成形品２１、２１同士を、それら自身の機械的結合によって連結できるので、例えば、熱膨張や熱収縮によって、それらの筬前成形品２１が伸縮する場合でも、両筬前成形品２１、２１の端部同士の強固な連結を維持することができる。以上のように、本実施形態によれば、筬前成形品２１、２１同士を、長期間にわたって強固に連結することができ、それにより、鍵盤装置１における鍵２同士の隙間のばらつきを防止することができる。
【００３９】
また、上記の連結係合凸部２６及び連結係合凹部２７の係合に加えて、接着剤を利用して、連結結合凸部２６と連結係合凹部２７を上下方向に接着した状態に固定するので、隣り合う筬前成形品２１、２１同士を、より一層強固に連結することができる。また、上記の接着剤は、複数の接着剤注入孔２９を介して注入され、各接着剤注入孔２９に連なる放射状の溝２９ａに流れる。これにより、重ね合わされた連結係合凸部２６と連結係合凹部２７の間に、比較的広範囲でかつ全体的にバランス良く、接着剤を安定して供給することができ、連結係合凸部２６と連結係合凹部２７を強固に接着することができる。
【００４０】
さらに、接着剤によって互いに接着された連結係合凸部２６と連結係合凹部２７を、圧着用ねじ３１によって上下方向に圧着するようにねじ止めするので、連結係合凸部２６と連結係合凹部２７を、より一層強固に接着できるとともに、その状態を長期間にわたって安定して保持することができる。
【００４１】
さらにまた、連結係合凸部２６にねじ凸部２６ｃが設けられる一方、連結係合凹部２７に挿入孔２７ｃが設けられているので、上記のねじ凸部２６ｃを挿入孔２７ｃに挿入させながら、連結係合凸部２６を連結係合凹部２７に嵌め合わせることにより、筬前成形品２１、２１同士の連結の際の組立て作業を、比較的容易に行うことができる。また、連結係合凸部２６と連結係合凹部２７の嵌め合わせに加えて、ねじ凸部２６ｃが挿入孔２７ｃに挿入されることにより、両筬前成形品２１、２１同士を、相対的に左右方向及び前後方向に移動不能な状態で、より一層強固に連結することができる。
【００４２】
なお、本発明は、説明した上記実施形態に限定されることなく、種々の態様で実施することができる。実施形態では、筬前成形品２１の連結係合凸部２６の平面形状を横Ｔ字状に形成したが、例えば、狭幅部２６ａの先端部の拡幅部２６ｂが前方及び後方の一方にのみ突出するように構成し、連結係合凸部２６の平面形状をＬ字状に形成することも可能である。また、上記の連結係合凸部の平面形状については、隣り合う筬前成形品２１、２１が相対的に左右方向に移動不能に連結されればよく、種々の形状を採用することが可能である。また、実施形態で示した筬前１１及び筬前成形品２１の細部の構成などは、あくまで例示であり、本発明の趣旨の範囲内で適宜、変更することができる。
【符号の説明】
【００４３】
１    鍵盤装置
２    鍵
１１    筬前
１４    フロントピン
１５    前レールの天板
１５ａ  ピン用開口
２１    筬前成形品
２２    本体部
２３    右連結部
２４    左連結部
２５    右連結部の基部
２６    連結係合凸部
２６ａ  連結係合凸部の狭幅部（第１凸部）
２６ｂ  連結係合凸部の拡幅部（第２凸部）
２６ｃ  連結係合凸部のねじ凸部
２７    連結係合凹部
２７ａ  連結係合凹部の狭幅部
２７ｂ  連結係合凹部の拡幅部
２７ｃ  連結係合凹部の挿入孔
２９    接着剤注入孔
２９ａ  溝
３１    圧着用ねじ（固定ねじ）
【図１】
2020034718.tif 000003
【図２】
2020034718.tif 000004
【図３】
2020034718.tif 000005
【図４】
2020034718.tif 000006